(57)【特許請求の範囲】
【請求項１】
枠部材と、前記枠部材に対して開閉可能に支持された扉部材と、を有するパチンコ機において、
前記枠部材及び前記扉部材の少なくとも一方に設けられ他方に向かって開口された開口部を備えた収納凹部と、
前記収納凹部に収納されるとともに前記開口部より他方に向かって端部が移動可能に支持された不正防止片と、
前記収納凹部に収納されるとともに前記不正防止片を他方に向かって付勢する弾性部材と、を有することを特徴とするパチンコ機。
【請求項２】
前記不正防止片は、前記枠部材の周方向に沿って複数に分割され、
分割された一の不正防止片は隣り合う他の不正防止片と独立して前記他方に向かって摺動可能に支持されていることを特徴とする請求項１に記載のパチンコ機。
【請求項３】
前記分割された不正防止片の内、隣り合う一方の不正防止片に凸部を形成するとともに、他方の不正防止片に前記凸部に嵌合する凹部を形成することを特徴とする請求項２に記載のパチンコ機。
【発明の詳細な説明】
【技術分野】
【０００１】
本発明は、パチンコ機に関し、特にパチンコ機が備える枠部材と枠部材に開閉可能に支持された扉部材の構造に関する。
【背景技術】
【０００２】
パチンコ機では、遊技盤を固定する枠部材と枠部材に開閉可能に支持された扉部材との間や、遊技盤と機構板との間等に隙間が形成されており、その隙間からピアノ線などの異物を侵入させる所謂ゴト行為が行われる虞があった。
そこで、例えば特許文献１に記載のパチンコ機では、遊技盤の裏面に凹溝を設けるとともに、機構板に前記凹溝に対して嵌合する阻止片を設けることで、ゴト行為を防止することについて提案されている。また、特許文献２に記載のパチンコ機では、枠部材に弾性体により形成された不正防止片を取り付け、扉部材が閉じられた際に枠部材との隙間を不正防止片により閉鎖することによって、ゴト行為を防止することについて提案されている。
【特許文献１】実開平６−７５５７３号公報（第６頁〜第８頁、図４、図５）
【特許文献２】特開２００４−２７５２５７号公報（第２頁〜第４頁、図３〜図５）
【発明の開示】
【発明が解決しようとする課題】
【０００３】
しかしながら、上記特許文献１に記載のパチンコ機では、製造誤差などに起因して凹溝に対する阻止片の進入度合いが低くなる場合があった。このような場合に阻止片を強い力で無理に挿入すると、遊技盤や機構板が撓んで凹溝から阻止片が離脱し、ゴト行為を許容してしまう問題があった。
一方、特許文献２に記載のパチンコ機では、不正防止片の全体を弾性部材により形成しているので、ピアノ線等によって不正防止片に対して強い力が加えられると、不正防止片が破損等をしてピアノ線等の異物の侵入を許容してしまう問題があった。
【０００４】
そこで、本発明は、上述した問題点を解決するためになされたものであり、ゴト行為が行われる場合において、ピアノ線等の異物によって枠部材と扉部材との間の隙間に強い力が加わったとしても、生じる隙間を最小限に抑えることが可能であり、不正行為をより確実に防止することを可能としたパチンコ機を提案する。
【課題を解決するための手段】
【０００５】
前記目的を達成するため請求項１に係るパチンコ機は、枠部材及び扉部材の少なくとも一方に設けられ他方に向かって開口された開口部を備えた収納凹部と、収納凹部に収納されるとともに開口部より他方に向かって端部が移動可能に支持された不正防止片と、を備え、弾性部材によって不正防止片を他方に向かって付勢することを特徴とする。
それによって、不正防止片が弾性部材からの付勢に基づいて収納凹部をストロークするので、ゴト行為が行われる際に扉部材や枠部材が撓んだとしても、隙間を最小限に維持してピアノ線等の異物の侵入を防止することが可能となる。
また、弾性部材とは別に隙間を塞ぐ為の不正防止片が専用の部材として用いられるので、その材質等の選択時において弾性の有無を考慮する必要が無く、適切な材質の選択を行うことによって、ピアノ線等によって強い力が加えられた場合でも不正防止片が破損等をしてしまうことを防止できる。
また、不正防止片が収納凹部に対して収納されているので、不正防止片の支持やストロークが安定し、扉部材の開閉が多数回繰り返されたとしても、不正防止片の全体が弾性部材よりなる場合と比較して枠部材と扉部材との隙間が広がってしまうことを防止できる。
更に、弾性部材とは別に隙間を塞ぐ為の不正防止片が専用の部材として用いられるので、全体が弾性部材で形成される場合と比較して、不正防止片のロングストローク化が容易となり、扉部材や枠部材に大きなゆがみが発生したとしても、隙間を最小限に維持してピアノ線等の異物の侵入を防止することが可能となる。
【０００６】
また、請求項２に係るパチンコ機は、不正防止片を枠部材の周方向に沿って複数に分割して構成し、分割された一の不正防止片は隣り合う他の不正防止片と独立して扉部材や枠部材に向かって摺動可能に支持されている。
それによって、枠部材と扉部材の間のような広範囲の隙間を不正防止片で塞ぐ場合であって、枠部材や扉部材に撓みが発生したとしても、撓んだ枠部材や扉部材に沿って複数の不正防止片により段階的に隙間を塞ぐことが可能となる。従って、隙間を最小限に維持してピアノ線等の異物の侵入を防止することができる。
【０００７】
更に、請求項３に係るパチンコ機は、分割された不正防止片の内、隣り合う一方の不正防止片に凸部を形成するとともに、他方の不正防止片に前記凸部に嵌合する凹部を形成し、凹部と凸部をそれぞれ嵌合することによって不正防止片を構成する。
それによって、不正防止片の分割部分の隙間からピアノ線等の異物が侵入することを防止できる。
【発明を実施するための最良の形態】
【０００８】
以下、本発明に係るパチンコ機について具体化した一実施形態について図面を参照して詳細に説明する。先ず、本実施形態に係るパチンコ機１の概略構成について図１及び図２に基づき説明する。
【０００９】
図１及び図２に示すように、本実施形態に係るパチンコ機は、木製の外枠２に対して枠部材である樹脂製の内枠３が、内枠取付用ヒンジを構成する上ヒンジ４及び下ヒンジ５を介して外枠２に対して開閉自在に取り付けられている。そして、内枠３には周方向に沿って収納凹部２１Ａ、２１Ｂが形成されており、更に収納凹部２１Ａには６個に分割された不正防止片２２Ａ〜２２Ｆと弾性部材であるコイルバネ２３が、収納凹部２１Ｂには３個に分割された不正防止片２２Ｇ〜２２Ｉと弾性部材であるコイルバネ２３がそれぞれ収納されている（図３〜図５参照）。
また、この内枠３のほぼ上半分の前側には、合成樹脂製の扉部材７が左端縁部の上下を上扉ヒンジ８及び下扉ヒンジ９に軸支されて開閉自在に取り付けられている。また、この扉部材７のほぼ中央部には略円形の窓部１０が開設され、この窓部１０の外周縁部に形成されるガラス保持枠に装着された２枚のガラスを通して遊技盤の遊技領域を見ることができるように構成されている。
【００１０】
また、この扉部材７の下側には、払い出される賞球を受ける上皿１１が合成樹脂製プレート１２に配設されている。また、このプレート１２は、左端縁部の上下を軸支されて、扉部材７を開放後、内側に設けられた不図示のレバーを下げることにより開放できるように取り付けられている。また、この上皿１１の中央前面部には、カード式球貸機の操作ボタン１３Ａやカード残高表示装置１３Ｂ等が設けられている。
更に、上皿１１の下には、下皿１４が配設される。また、上皿１１に連通する不図示の球送り機構を介して上皿１１のパチンコ球が操作ハンドル１５に連結された発射装置（図示せず）へ送られるよう構成されている。
【００１１】
また、この内枠３のほぼ中央部には不図示の遊技盤が着脱自在なように不図示の機構盤に取り付けられている。そして、この機構盤の裏側には各種基板を収納した合成樹脂製の機構セット盤２０が開閉自在に蝶番により取り付けられている。
【００１２】
次に、前記内枠３の収納凹部２１に収納された不正防止片２２及びコイルバネ２３について説明する。図３は扉部材７を外した状態の内枠３を示した正面図である。また、図４及び図５は図１の線Ａ−Ａでパチンコ機１を切断した矢視断面図である。
図３及び図４に示すように本実施形態に係るパチンコ機１の内枠３には、周方向に沿って収納凹部２１Ａ、２１Ｂが形成されている。ここで、収納凹部２１Ａは内枠３の右辺から上辺にかけて形成されており、収納凹部２１Ｂは内枠３の左辺に沿って直線形状に形成されている。また、収納凹部２１Ａには樹脂成形された長尺状の不正防止片２２Ａ〜２２Ｆが右辺及び上辺のそれぞれに３個に分割された状態で収納されている。一方、収納凹部２１Ｂには樹脂成形された長尺状の不正防止片２２Ｇ〜２２Ｉが３個に分割された状態で収納されている。
【００１３】
また、不正防止片２２Ａ〜２２Ｉと収納凹部２１Ａ、２１Ｂの間にはコイルバネ２３が各不正防止片に対応して２箇所ずつ計１８箇所に収納されている。そして、図４に示すようにコイルバネ２３は不正防止片２２Ａ〜２２Ｉを扉部材７方向へと付勢する。その結果、図５に示すように不正防止片２２Ａ〜２２Ｉに扉部材７方向から力が付勢されることによって、不正防止片２２Ａ〜２２Ｉは収納凹部２１Ａ、２１Ｂの側壁に沿って内枠３方向にスライドし、それに伴って不正防止片の端部２７が内枠３に向かって移動する。また、扉部材７方向からの付勢を解除すると、不正防止片２２Ａ〜２２Ｉは収納凹部２１Ａ、２１Ｂの側壁に沿って扉部材７方向にスライドし、それに伴って不正防止片の端部２７が開口部２５より扉部材７に向かって移動する。
【００１４】
一方、扉部材７の裏側面（即ち、内枠３と対向する面）には、収納凹部２１Ａ、２１Ｂと対応する位置に係合凹部２６が形成されている。そして、扉部材７を内枠３に対して閉じた際に、コイルバネ２３によって付勢された不正防止片の端部２７が係合凹部２６に収納されることによって、扉部材７と内枠３との間に生じる隙間を塞ぎ、ピアノ線等の異物の侵入を防止する。
【００１５】
また、同じく扉部材７の裏側面で係合凹部２６の内側には案内斜面２８が形成されている。ここで、案内斜面２８は所定角度（例えば１０度）で係合凹部２６へと傾斜された傾斜面であり、扉部材７を内枠３に対して閉じる際に端部２７が係合凹部２６の位置からずれていたとしても、傾斜に沿って確実に係合凹部２６へと案内することができる。
【００１６】
また、不正防止片２２Ａ〜２２Ｉには、隣り合う不正防止片との間において不正防止片を互いに接合する為の凸部又は凹部が形成されている。そして、凸部と凹部とを嵌合させることによって隣り合う不正防止片を接合し、隣り合う不正防止片の間に生じる隙間を塞いでいる。
ここで、図６を用いて特に不正防止片２２Ａと不正防止片２２Ｂとの接合部について説明する。図６に示すように不正防止片２２Ａの一端には凸部３０が形成されており、それに対向する不正防止片２２Ｂの一端には凹部３１が形成されている。そして、凸部３０と凹部３１とを嵌合させることによって、隣り合う不正防止片２２Ａと不正防止片２２Ｂを接合する。
【００１７】
続いて、図７を用いて特に不正防止片２２Ｃと不正防止片２２Ｄとの接合部について説明する。図７に示すように不正防止片２２Ｃの一端には凸部３２が形成されており、それに対向する不正防止片２２Ｄの一端には凹部３３が形成されている。そして、凸部３２と凹部３３とを嵌合させることによって、隣り合う不正防止片２２Ｃと不正防止片２２Ｄとを接合する。同様にして、図示はしないが不正防止片２２Ｂと不正防止片２２Ｃとの接合部、不正防止片２２Ｄと不正防止片２２Ｅとの接合部、不正防止片２２Ｅと不正防止片２２Ｆとの接合部、不正防止片２２Ｇと２２不正防止片２２Ｈとの接合部、不正防止片２２Ｈと不正防止片２２Ｉとの接合部についても、凹部と凸部を嵌合させることによって接合している。
【００１８】
ここで、前記凸部及び凹部によって嵌合された不正防止片２２Ａ〜２２Ｉは、隣り合う他の不正防止片と互いに動きを干渉しないように独立して扉部材７方向に向かって摺動可能に支持されている。即ち、図８に示すように不正防止片２２Ａに対して扉部材７方向から力が付勢された場合には、隣り合う不正防止片２２Ｂの動きに影響を与えることなく、不正防止片２２Ａのみが内枠３方向へと移動する。そして、付勢されている力が解除されると、同じく不正防止片２２Ｂの動きに影響を与えることなく、コイルバネ２３の付勢によって不正防止片２２Ａのみが扉部材７方向へと移動する。
【００１９】
従って、図９に示すように、例えば不正者が、ピアノ線を差し込むための隙間を形成する意図で、扉部材７の上部と内枠３の上部との間を抉じ開けようとし、従って扉部材７が外側に撓んだ場合には、扉部材７と内枠３との隙間３５の広がりに従って、不正防止片２２Ｄ及び不正防止片２２Ｃがそれぞれ異なる量だけ扉部材７側に移動する。それによって、扉部材７と内枠３との間に生じた隙間３５を不正防止片によって最小限に塞ぐことが可能となる。
この際、不正防止片２２Ａ〜２２Ｉを一体に構成した場合と比較して、分割した不正防止片２２Ａ〜２２Ｉにより、下方から上方へと徐々に広がる隙間３５に対応して段階的に隙間３５を塞ぐことが可能となる。
【００２０】
以上より、本実施形態に係るパチンコ機１では、内枠３の周方向に設けられた不正防止片２２Ａ〜２２Ｉがコイルバネ２３からの付勢に基づいて収納凹部２１Ａ、２１Ｂの内部をストロークし、内枠３と扉部材７との間の隙間を塞ぐように構成するので、ゴト行為が行われる際に扉部材７や内枠３が撓んだとしても、隙間を最小限に維持してピアノ線等の異物の侵入を防止することが可能となる。
また、弾性部材であるコイルバネ２３とは別に隙間を塞ぐ為の不正防止片２２Ａ〜２２Ｉが専用の部材として用いられるので、その材質等の選択時において弾性の有無を考慮する必要が無く、適切な材質の選択を行うことによって、ピアノ線等によって強い力が加えられた場合でも不正防止片２２Ａ〜２２Ｉが破損等をしてしまうことを防止できる。
また、不正防止片２２Ａ〜２２Ｉが収納凹部２１Ａ、２１Ｂに対して収納されているので、不正防止片２２Ａ〜２２Ｉの支持やストロークが安定し、扉部材７の開閉が多数回繰り返されたとしても、不正防止片２２Ａ〜２２Ｉの全体が弾性部材よりなる場合と比較して扉部材７と内枠３との隙間が広がってしまうことを防止できる。
更に、弾性部材であるコイルバネ２３とは別に隙間を塞ぐ為の不正防止片２２Ａ〜２２Ｉが専用の部材として用いられるので、全体が弾性部材で形成される場合と比較して、不正防止片２２Ａ〜２２Ｉのロングストローク化が容易となり、扉部材７や内枠３に大きなゆがみが発生したとしても、隙間を最小限に維持してピアノ線等の異物の侵入を防止することが可能となる。
また、不正防止片２２Ａ〜２２Ｉは内枠３の周方向に沿って複数に分割して構成されるとともに、分割された一の不正防止片は隣り合う他の不正防止片に独立して扉部材７に向かって摺動可能に支持されている。従って、扉部材７と内枠３の間のような広範囲の隙間を不正防止片で塞ぐ場合であって、内枠３や扉部材７に撓みが発生したとしても、撓んだ内枠３や扉部材７に沿って複数の不正防止片により段階的に隙間を塞ぐことが可能となる。その結果、扉部材７と内枠３との間の隙間を最小限とすることができる。
更に、分割された不正防止片２２Ａ〜２２Ｉには隣り合う一方の不正防止片に凸部を形成するとともに、他方の不正防止片に前記凸部に嵌合する凹部を形成し、凹部と凸部をそれぞれ嵌合することによって不正防止片を構成するので、不正防止片２２Ａ〜２２Ｉの分割部分の隙間からピアノ線等の異物が侵入することを防止できる。
【００２１】
尚、本発明は上記実施の形態に限定されるものでなく、その趣旨を逸脱しない範囲で様々な変更が可能である。
例えば、内枠３ではなく扉部材７の周方向に沿って収納凹部２１Ａ、２１Ｂを形成し、形成された収納凹部２１Ａ、２１Ｂに対して不正防止片２２Ａ〜２２Ｉやコイルバネ２３を収納することとしても良い。その際、内枠３の扉部材７と対向する面に対して係合凹部２６を形成することにより、内枠３と扉部材７との隙間を不正防止片２２Ａ〜２２Ｉによって塞ぐことが可能となる。
【００２２】
また、不正防止片２２Ａ〜２２Ｉによってパチンコ機１に生じる隙間を塞ぐ上記構造は、内枠３と扉部材７との間でなく、内枠３と上皿１１が設けられたプレート１２との間に適用することとしても良い。その際には内枠３又はプレート１２の周方向に沿って収納凹部を形成し、不正防止片とコイルバネを収納することによって構成する。
【図面の簡単な説明】
【００２３】
【図１】本実施形態に係るパチンコ機を示した正面図である。
【図２】同パチンコ機を示した右側面図である。
【図３】同パチンコ機の内枠を示す正面図である。
【図４】図１の線Ａ−Ａでパチンコ機を切断した矢視断面図である。
【図５】図１の線Ａ−Ａでパチンコ機を切断した矢視断面図である。
【図６】隣り合う不正防止片の接合部を拡大して示した正面図である。
【図７】隣り合う不正防止片の接合部を拡大して示した正面図である。
【図８】隣り合う不正防止片の接合部を拡大して示した斜視図である。
【図９】撓みが生じた扉部材に対する不正防止片の動きを示した側面図である。
【符号の説明】
【００２４】
１…パチンコ機、３…内枠、７…扉部材、２１Ａ、２１Ｂ…収納凹部、２２Ａ〜２２Ｉ…不正防止片、２３…コイルバネ、２５…開口部、２６…係合凹部、２７…端部、３０、３２…凸部、３１、３３…凹部。
【図１】
0004626816.tif 000002
【図２】
0004626816.tif 000003
【図３】
0004626816.tif 000004
【図４】
0004626816.tif 000005
【図５】
0004626816.tif 000006
【図６】
0004626816.tif 000007
【図７】
0004626816.tif 000008
【図８】
0004626816.tif 000009
【図９】
0004626816.tif 000010